(57)【特許請求の範囲】
【請求項１】
実行すべき動作を指示するための複数の動作指示部と、
前記各動作指示部の操作から実行すべき動作を特定するための対応動作情報を記憶した対応動作記憶手段と、
前記動作指示部の何れかが操作されると、該操作に基き前記対応動作記憶手段の対応動作情報を参照し、実行すべき動作を特定して制御処理を行う制御手段と、
を備えた電話装置であって、
外部操作により、前記複数の動作指示部のうち、互いに隣接する複数の動作指示部からなる操作領域に対して、同一の対応動作を指定するための指定手段と、
該指定手段の操作に応じて、前記対応動作記憶手段の対応動作情報を更新する更新手段と、
を備えたことを特徴とする電話装置。
【請求項２】
実行すべき動作を指示するための複数の動作指示部と、
前記各動作指示部の操作から実行すべき動作を特定するための対応動作情報として、各動作指示部毎に異なる対応動作を記憶した第１記憶手段と、
前記動作指示部の何れかが操作されると、該操作に基き前記第１記憶手段の対応動作情報を参照し、実行すべき動作を特定して制御処理を行う第１制御手段と、
を備えた電話装置であって、
対応動作情報として、前記複数の動作指示部の内、互いに隣接する複数の動作指示部からなる操作領域に対して同一の対応動作を記憶した第２記憶手段と、
前記動作指示部の何れかが操作されると、該操作に基き前記第２記憶手段の対応動作情報を参照し、実行すべき動作を特定して制御処理を行う第２制御手段と、
外部からモード切替指令が入力されると、この電話装置本体の動作モードを、前記第１制御手段が前記第１記憶手段の対応動作情報を参照して実行すべき動作を特定する第１モードと、前記第２制御手段が前記第２記憶手段の対応動作情報を参照して実行すべき動作を特定する第２モードとに交互に切替えるモード切替手段と、
を備えたことを特徴とする電話装置。
【請求項３】
請求項２に記載の電話装置において、
外部操作により、前記操作領域に対して設定すべき同一の対応動作を指定するための指定手段と、
該指定手段の操作に応じて、前記第２記憶手段の対応動作情報を更新する更新手段と、
を備えたことを特徴とする電話装置。
【請求項４】
請求項１又は３に記載の電話装置において、
複数の電話番号を記憶した電話番号記憶手段を備え、
前記指定手段は、前記設定すべき対応動作として、前記電話番号記憶手段に記憶された電話番号を検索する番号検索動作、該番号検索動作により検索された電話番号を電話回線網に送信して他の電話装置を呼び出す発信動作、および、この電話装置本体と他の電話装置との接続を断つ終話動作を指定可能に構成されたことを特徴とする電話装置。
【発明の詳細な説明】
【０００１】
【発明の属する技術分野】
この発明は、複数の操作領域からなる操作部の操作によって、実行すべき動作を指示可能な電話装置に関する。
【０００２】
【従来の技術】
従来より、家庭やオフィスで使用される電話装置、携帯電話装置、ＰＨＳ電話装置等の各種電話装置には、電話装置に呼出先の電話番号を入力するための「０〜９、＊、＃」等の数字キーや、その他各種の制御処理を実行させるための機能キー等、複数のキーからなる操作部が備えられている。
【０００３】
【発明が解決しようとする課題】
ところで、省スペース、持ち運び易さの観点から、こうした電話装置の小型化が進められており、その小型化に伴って操作部も小型化されている。それに伴い、操作部に設けられたキーも小さくなり、その操作が難しくなってきている。特に、指の太い人や、手の不自由な人、手袋を装着した人の場合には、押したいキーを思うように押せず、キー操作がしにくいことがあった。
【０００４】
また、この問題は、操作部に複数のキーが設けられた電話装置に限らず、押圧力が加えられるとその押圧位置を検出するタッチパネルが設けられたものに関しても同様の問題が生じていた。即ち、タッチパネルが複数の操作領域に分割され、その各領域毎に異なる機能（例えば、呼出先の電話番号の入力等の各種処理を行わせるための機能）が設定されている場合に、電話装置の小型化により各操作領域も狭くなり、操作し難いことがあった。
【０００５】
本発明は上記課題に鑑みなされたものであり、複数の動作指示部からなる操作部を備えた電話装置において、操作部の操作性を向上可能とすることを目的とする。
【０００６】
【課題を解決するための手段及び発明の効果】
上記課題を解決するためになされた本発明（請求項１記載）の電話装置においては、実行すべき動作を指示するための複数の動作指示部と、各動作指示部の操作から実行すべき動作を特定するための対応動作情報を記憶した対応動作記憶手段と、動作指示部の何れかが操作されると、該操作に基き対応動作記憶手段の対応動作情報を参照し、実行すべき動作を特定して制御処理を行う制御手段とを備えた電話装置であって、外部操作により、複数の動作指示部のうち、互いに隣接する複数の動作指示部からなる操作領域に対して、同一の対応動作を指定するための指定手段と、指定手段の操作に応じて、対応動作記憶手段の対応動作情報を更新する更新手段とを備えたことを特徴とする。
【０００７】
つまり従来は、予め各動作指示部に夫々対応動作が設定されており、使用者はその設定に従って操作する必要があったが、必ずしも全ての使用者にとって操作し易い設定とは言えなかった。そこで本発明（請求項１記載）の電話装置では、外部からの指定手段の操作に応じて、対応動作記憶手段の対応動作情報を更新するよう構成し、使用者が、動作指示部に対して自己の所望する対応動作を設定できるようにした。その結果、各動作指示部が小さく、指の太い人や、手の不自由な人、手袋を装着した人が操作し難いと感じた場合であっても、請求項１に記載の発明では、互いに隣接する複数の動作指示部に対して同一の対応動作を指定しているので、当該電話装置の操作をより楽なものとすることができる。
【０００８】
また、上記課題を解決するためには請求項２に記載の様な構成としても良い。即ち、請求項２に記載の電話装置においては、実行すべき動作を指示するための複数の動作指示部と、各動作指示部の操作から実行すべき動作を特定するための対応動作情報として、各動作指示部毎に異なる対応動作を記憶した第１記憶手段と、動作指示部の何れかが操作されると、該操作に基き第１記憶手段の対応動作情報を参照し、実行すべき動作を特定して制御処理を行う第１制御手段とを備えた電話装置であって、対応動作情報として、複数の動作指示部の内、互いに隣接する複数の動作指示部からなる操作領域に対して同一の対応動作を記憶した第２記憶手段と、動作指示部の何れかが操作されると、該操作に基き第２記憶手段の対応動作情報を参照し、実行すべき動作を特定して制御処理を行う第２制御手段と、外部からモード切替指令が入力されると、この電話装置本体の動作モードを、第１制御手段が第１記憶手段の対応動作情報を参照して実行すべき動作を特定する第１モードと、第２制御手段が第２記憶手段の対応動作情報を参照して実行すべき動作を特定する第２モードとに交互に切替えるモード切替手段とを備えたことを特徴とする。
【０００９】
つまり、請求項２に記載の電話装置においては、モード切替指令が外部から入力されると、従来の様な各動作指示部毎に異なる対応動作を行う第１モードと、複数の動作指示部の内の互いに隣接する複数の動作指示部（操作領域）に対して同一の対応動作を行う第２モードとを交互に切換えるのである。従って、各動作指示部毎に異なる対応動作が設定された第１モードのままでは操作し難い場合（例えば、手袋を装着したまま操作をしようとする場合や、手の不自由な人や指の太い人が操作しようとする場合等）であっても、モード切替指令を入力して、動作モードを第２モードに切換えることにより、操作領域を構成する動作指示部の何れを操作しても「同一の対応動作」を指示することができ、電話装置の操作が楽なものとなる。
【００１０】
さて操作領域には、頻繁に使用されると思われる動作を、予め（例えば、電話装置の工場出荷時等）設定しておくと良く、そうすれば、使用者自らが設定することなく、第２モードにて当該電話装置を操作することができる。しかし、使用者によって、使用頻度の高い対応動作は異なると考えられるので、操作領域に設定する対応動作を、使用者の使用態様に合致するよう変更できれば便利である。そこで請求項３に記載の様に、外部操作により、操作領域に対して設定すべき同一の対応動作を指定するための指定手段と、その指定手段の操作に応じて、第２記憶手段の対応動作情報を更新する更新手段とを設けるようにすると良い。この様にすれば、使用者は、所望の対応動作（例えば使用頻度の高い動作）を操作領域に設定して、電話装置の操作性を自己の使い勝手の良いものとすることができる。
【００１１】
ところで、近年の電話装置は様々な機能を有しているが、その中でも、次の３つの機能、即ち、当該電話装置に予め記憶された電話番号を検索する番号検索機能、その番号検索動作により検索された電話番号を電話回線網に送信して他の電話装置を呼び出す発信機能、および、当該電話装置と他の電話装置との接続を断つ終話機能は、この３つの動作だけで他の電話装置との通話を行うことができることから、最も使用頻度の高いものの１つといえる。
【００１２】
そこで、請求項４に記載の様に、請求項１又は３に記載の電話装置において、複数の電話番号を記憶した電話番号記憶手段を設け、指定手段を、設定すべき対応動作として、電話番号記憶手段に記憶された電話番号を検索する番号検索動作、その番号検索動作により検索された電話番号を電話回線網に送信して他の電話装置を呼び出す発信動作、および、この電話装置本体と他の電話装置との接続を断つ終話動作を指定可能に構成すると良い。こうすれば、操作領域に設定したい動作として、上記３つの対応動作を指定して、操作領域に割当てることによって、電話装置の使い勝手を更に向上させることができる。
【００１３】
なお動作指示部としては、例えば、電話装置の外面上に設けられた押しボタン（キー）や、タッチパネル面上に分割して形成された操作領域等が考えられる。また、上記課題を解決するための手段としては、請求項１〜４の様に、様々なものが考えられるが、後述する実施例の様に組合せると、電話装置の操作性をより向上させることができる。
【００１４】
【発明の実施の形態】
以下に、本発明の電話装置の一実施例を図面と共に説明する。
図１は、一実施例としての携帯電話装置の内部構成を示すブロック図であり、図２はその携帯電話装置１の外観を示す説明図である。
【００１５】
携帯電話装置１は、図２に示す様に、片手で持って操作でき、且つ携帯に便利なように長尺状の筐体１ａを備えている。筐体１ａの中央部には、多数のキーからなるキー操作部３が設けられている。このキー操作部３には、「０〜９、＊、＃」等様々な数字・記号（例えば呼出先の電話番号）の入力するためのキー、その他の各種動作を指示するためのキーが配置されている。
【００１６】
キー操作部３の下方には、通話時に使用者が音声を入力するための音声入力部５が設けられ、一方、キー操作部３の上方には、他の電話装置から送信されてきたメッセージ、携帯電話装置１の操作案内、動作状況等を表示するための液晶表示装置（ＬＣＤ）からなる表示部７が設けられている。更に、その上方には、通話時に他の電話装置から送られてくる音声信号を音声として出力する音声出力部９が設けられている。音声出力部９は、電話回線網の基地局から呼出信号が送信されてきたときに、これを使用者に知らせるための着信音の発生も行う。また、この音声出力部９の更に上方の筐体１ａの先端部には、筐体１ａに出入り可能に形成されたアンテナ１１が設けられている。携帯電話装置１は、このアンテナ１１を介して、電話回線網の基地局との間で無線通信を行う。
【００１７】
また、携帯電話装置１には、図１に示すように、アンテナ１１を介して送受信する信号を変調・復調して、基地局との間で無線通信を行うための送受信部１３、上記各部に接続されて各種制御処理を行うための制御部１５も設けられている。
【００１８】
制御部１５は、マイクロコンピュータとして構成され、ＣＰＵ１５ａ、ＲＯＭ１５ｂ、ＲＡＭ１５ｃ、バックアップＲＡＭ１５ｄを備えると共に、これらを、互いに接続するバスライン（図示せず）や、外部と接続するＩ／Ｏ（図示せず）等を備えている。そして、一般的な携帯電話装置としての機能を実現するための各種制御処理、即ち、送受信部１３から基地局に対して、他の電話装置を呼び出すための電話番号を送信させる発呼処理、基地局から呼出信号を受信すると、音声出力部９から着信音を発生させ、表示部７に着信内容などを表示させる着信処理、着信音の発生に応じて使用者により携帯電話装置１を電話回線網に接続する指令が入力されると、送受信部１３を介して当該携帯電話装置１を電話回線網に接続させる接続処理、発呼処理により呼出先の電話装置が電話回線網に接続されて、その着呼者側の電話装置との通話が可能になったときや、接続処理により当該携帯電話装置１が電話回線網に接続されて、発呼者側の電話装置との通話が可能になったときに、使用者が音声入力部５から入力した音声信号を送受信部１３から基地局に送信したり、電話回線網（換言すれば、接続相手である電話装置）から送信されてきた音声信号に基いて、音声出力部９から音声を発生させたりする音声入出力処理、当該携帯電話装置１が基地局に接続された状態にあるときに、使用者により携帯電話装置１と基地局との接続を切断する指令が入力されると、その接続を切断する切断処理等を行う。
【００１９】
さて、本携帯電話装置１においては複数の動作モードがある。その内の通常モードでは、各キー毎に夫々異なる様々な動作（対応動作）が割当てられており、使用者はキー操作部３を操作することにより所定の動作を指示することができる。ＲＯＭ１５ｂには、各キーの操作から実行すべき動作を特定するための対応動作情報（キー設定情報）として、各キー毎に異なる動作が記憶されており、通常モードにおいては、制御部１５は、このＲＯＭ１５ｂに記憶されたキー設定情報に基いて、実行すべき処理を決定する。
【００２０】
例えば、「０〜９、＊、＃」等の数字キーの押下により電話番号が入力されると、入力された番号が表示部７に表示される。そして、発信キー２１が押下されると、制御部１５は、上述の発呼処理を行い、その入力された電話番号に対応する電話装置を呼び出す。また、基地局との接続された状態のときに、終話キー２３が押下されると、制御部１５は、上述の切断処理を行う。即ち、発信キー２１には、発呼処理を行って他の電話装置を呼び出す動作が割当てられ、終話キー２３には、他の電話装置との接続を切断する終話動作が割当てられており、使用者は、「０〜９、＊、＃」等の数字キーを押下して所望の電話番号を入力した後、発信キー２１を押下することにより、所望の相手の電話装置を呼び出すことができる。そして、相手との会話を終えた後に、終話キー２３を押下することにより、相手の電話装置との接続を断つことができる。
【００２１】
また、この携帯電話装置１において、バックアップＲＡＭ１５ｄには、使用者による登録操作により、複数の電話番号がその相手先の名前と共に格納できるよう構成されている。制御部１５は、メモリダイヤルキー１９が押されると、バックアップＲＡＭ１５ｄ内の登録データ（即ち電話番号、名前）を検索して表示部７に表示する番号検索処理を行う。そして、制御部１５は、検索結果である電話番号の表示中に発信キー２１が押されると、表示中の電話番号（即ち検索された電話番号）を電話回線網に送信して、その電話番号に対応した相手の電話装置を呼び出す発信動作を行う。即ち、メモリダイヤルキー１９には、バックアップＲＡＭ１５ｄに格納された電話番号を検索する番号検索動作が割当てられており、使用者は、メモリダイヤルキー１９を押して所望の電話番号を検索し、表示部７に表示させた後、発信キー２１を押下することにより、所望の相手の電話装置を呼び出すことができる。
【００２２】
この様に、通常モードである場合、予めＲＯＭ１５ｂに格納されたキー設定情報に基いて、キー操作に対応する動作が決定される。例えば、発信動作、終話動作および番号検索動作は、夫々発信キー２１、終話キー２３およびメモリダイヤルキー１９を操作することによってしか指示することができない。
【００２３】
しかし、本携帯電話装置１は、通常モード以外の動作モード（後述する簡単モード、ユーザ設定モード）の場合に、発信動作、終話動作および番号検索動作を、発信キー２１、終話キー２３およびメモリダイヤルキー１９以外のキーによっても指示することができるよう構成されている。これを実現するために制御部１５が行う処理について、図３〜図５に示すフローチャートと共に説明する。
【００２４】
図３は、制御部１５が行うモード切換処理を示すフローチャートである。モード切換処理は、本携帯電話装置１の動作モードを、上述の様な通常モードから他の動作モードに切換えるための処理であり、「Ｆ」のファンクションキー１７および「７」の数字キーを利用して、「Ｆ７７」と入力されると起動される。
【００２５】
モード切換処理が起動されると、まず、表示部７に「１．簡単モード  ／  ２．ユーザ設定モード」を表示させる（Ｓ１０）。この表示は、後述する「簡単モード」および「ユーザ設定モード」の何れかのモードを選択できることを意味しており、表示後、使用者により「１」および「２」の何れかのキーが選択されて押下されるのを待つ（Ｓ２０：ＮＯ）。Ｓ２０にて、「１」又は「２」のどちらかのキーが押下されたと判断すると（Ｓ２０：ＹＥＳ）、その押されたキーが「１」であるか否かを判断する（Ｓ３０）。「１」のキーが押されたと判断した場合（Ｓ３０：ＹＥＳ）には、後述する簡単モード設定処理を行った後（Ｓ４０）、当該モード切換処理を終了する。一方、「１」のキーが押されたと判断しなかった場合（即ち「２」のキーが押された場合）には（Ｓ４０：ＮＯ）、後述するユーザ設定処理を行った（Ｓ５０）後に、当該モード切換処理を終了する。
【００２６】
携帯電話装置１の使用者は、上述したモード切換処理により、キー操作部３の操作性を向上させるモードとして、「簡単モード」および「ユーザ設定モード」の何れかのモードを選択することができる。
次に、簡単モード設定処理について、図４に示すフローチャートと共に説明する。図２に示す様に、キー操作部３は、４つのキーエリア（即ち、第１キーエリア３ａ、第２キーエリア３ｂ、第３キーエリア３ｃおよび第４キーエリア３ｄ）に分けられている。簡単モード設定処理は、第１〜第３キーエリア３ａ〜３ｃに属するキーに、メモリダイヤル機能、発信機能、終話機能を割当てると共に、第４キーエリアに属するキーに、「簡単モード」を解除して、通常モードに戻す動作を設定するための処理である。
【００２７】
この簡単モード設定処理が起動されると、まず、表示部７に「発信キーエリアは？１／２／３」と表示させる（Ｓ１１０）。「１／２／３」は、第１〜３キーエリアの内の何れかの１つのキーエリアを、「１」、「２」、「３」のキーの何れかを押下することにより選択できることを意味している。Ｓ１１０にて、キー入力を促す表示を行った後、使用者により「１」〜「３」の何れかのキーが押下されるのを待つ（Ｓ１２０：ＮＯ）。そしてＳ１２０にて、「１」〜「３」の何れかのキーが押下されたと判断すると（Ｓ１２０：ＹＥＳ）、そのキーの押下により選択されたキーエリアを発信キーエリアとして設定する旨のキー設定情報をバックアップＲＡＭ１５ｄに格納する（Ｓ１３０）。即ち、その選択されたキーエリアを構成するキーには、発信動作が割当てられるのである。
【００２８】
次に、表示部７に「終話キーエリアは？１／２／３」と、キー入力を促す表示をさせ（Ｓ１４０）、使用者により「１」〜「３」の何れかのキーが押下されるのを待つ（Ｓ１５０：ＮＯ）。そして「１」〜「３」の何れかのキーが押下されたと判断すると（Ｓ１５０：ＹＥＳ）、そのキーの押下により選択されたキーエリアを終話キーエリアとして設定する旨のキー設定情報をバックアップＲＡＭ１５ｄに格納する（Ｓ１６０）。即ち、その選択されたキーエリアを構成するキーには、終話動作が割当てられるのである。
【００２９】
そして、更に、表示部７に「メモリダイヤルキーエリアは？１／２／３」と、キー入力を促す表示をさせ（Ｓ１７０）、使用者により「１」〜「３」の何れかのキーが押下されるのを待つ（Ｓ１８０：ＮＯ）。そして「１」〜「３」の何れかのキーが押下されたと判断すると（Ｓ１８０：ＹＥＳ）、そのキーの押下により選択されたキーエリアをメモリダイヤルキーエリアとして設定する旨のキー設定情報をバックアップＲＡＭ１５ｄに格納する（Ｓ１９０）。即ち、その選択されたキーエリアを構成するキーには、番号検索動作が割当てられるのである。
【００３０】
こうして、発信キー２１、終話キー２３、メモリダイヤルキー１９としての機能を、第１〜第３キーエリアに割当てた後、表示部７に「設定を終了しますか？１．ＹＥＳ／２．ＮＯ」を表示させる（Ｓ２００）。「１．ＹＥＳ／２．ＮＯ」は、「１」又は「２」のキーを押下することにより、質問に対して「ＹＥＳ」又は「ＮＯ」を選択できることを意味する表示である。Ｓ２００にて、キー入力を促す表示を行った後、「１」又は「２」のキーが押下されるのを待つ（Ｓ２１０：ＮＯ）。そしてＳ２１０にて、「１」又は「２」のキーが押下されたと判断すると（Ｓ２１０：ＹＥＳ）、その押下されたキーが「１」であるか否かを判断し（Ｓ２２０）、「１」でない（即ち、本簡単モード設定処理を、最初からやり直す）と判断した場合（Ｓ２２０：ＮＯ）には、Ｓ１１０に戻る。一方、押下されたキーが「１」であると判断した場合には（Ｓ２２０：ＹＥＳ）、Ｓ２３０に移行する。
【００３１】
Ｓ２３０では、Ｓ１３０、Ｓ１６０及びＳ１９０にて、バックアップＲＡＭ１５ｄに格納されたキー設定情報が正しいか否かを判断する。キー設定情報が正しくない例としては、例えば、次の様な場合が考えられる。例えば、Ｓ１３０において、第１キーエリアを発信キーエリアとして設定する旨のキー設定情報が格納されたにもかかわらず、Ｓ１６０においても、第１キーエリアを終話キーエリアとして設定する旨のキー設定情報が格納された場合の様に、同一のキーエリアに対して複数の動作が重複して設定された場合である。この様な場合、そのキーエリア（上の例では、第１キーエリア）に属するキーを押しても、実行すべき処理を確定できないという不都合が起こり得る。こうした誤った（或いは不完全な）キー設定情報が、バックアップＲＡＭ１５ｄに格納されている場合には、設定が正しくないと判断し（Ｓ２３０：ＮＯ）、Ｓ１１０に戻る。そして、設定が正しいと判断した場合には（Ｓ２３０：ＹＥＳ）、当該簡単モード設定処理を終了する。
【００３２】
この様にして、簡単モード設定処理によってバックアップＲＡＭ１５ｄのキー設定情報が更新されると、第４キーエリア３ｄの操作により簡単モードが解除されるまで、制御部１５は、そのキー設定情報を参照して実行すべき動作を特定する。
【００３３】
次に、制御部１５が行うユーザ設定処理について、図５に示すフローチャートに基いて説明する。ユーザ設定処理は、第４キーエリア３ｄのキーに、「ユーザ設定モード」を解除して、通常モードに戻す動作を設定すると共に、それ以外のキーについては、使用者の選択により、番号検索動作、発信動作、終話動作を設定するための処理である。
【００３４】
まず、表示部７に、「発信用キーを選択して下さい」と、キー入力を促す表示をさせ（Ｓ３１０）、使用者により何れかのキーが選択され押下されるのを待つ（Ｓ３２０：ＮＯ）。次に、何れかのキーが押下されたと判断すると（Ｓ３２０：ＹＥＳ）、選択されたキーを発信用キーとして設定する旨のキー設定情報をバックアップＲＡＭ１５ｄに格納する（Ｓ３３０）。即ち、その選択されたキーには、発信動作が割当てられるのである。
【００３５】
Ｓ３３０の後、表示部７に「続行しますか？  １．ＹＥＳ／２．ＮＯ」を表示する（Ｓ３４０）。「１．ＹＥＳ／２．ＮＯ」の意味するところは上記と同様であり、この表示後、使用者により、「１」又は「２」のキーの何れかが押下されるのを待つ（Ｓ３５０：ＮＯ）。そして、「１」又は「２」のキーの何れかが押下されたと判断すると（Ｓ３５０：ＹＥＳ）、その押下されたキーが「１」であるか否かを判断し（Ｓ３６０）、「１」でない（即ち、発信用キーの選択を続行しない）と判断した場合（Ｓ３６０：ＮＯ）には、Ｓ３７０に移行する。一方、押下されたキーが「１」であると判断した場合には（Ｓ３６０：ＹＥＳ）、Ｓ３１０に戻り、以上の処理（Ｓ３１０〜Ｓ３６０）を再び行う。
【００３６】
次に、Ｓ３７０では、表示部７に、「終話用キーを選択して下さい」と、キー入力を促す表示をさせ（Ｓ３７０）、使用者により何れかのキーが選択され押下されるのを待つ（Ｓ３８０：ＮＯ）。何れかのキーが押下されたと判断すると（Ｓ３８０：ＹＥＳ）、選択されたキーを終話用キーとして設定する旨のキー設定情報をバックアップＲＡＭ１５ｄに格納する（Ｓ３９０）。即ち、その選択されたキーには、終話動作が割当てられるのである。
【００３７】
Ｓ３９０の後、表示部７に「続行しますか？  １．ＹＥＳ／２．ＮＯ」を表示する（Ｓ４００）。この表示後、使用者により、「１」又は「２」のキーの何れかが押下されるのを待つ（Ｓ４１０：ＮＯ）。そして、「１」又は「２」のキーの何れかが押下されたと判断すると（Ｓ４１０：ＹＥＳ）、その押下されたキーが「１」であるか否かを判断し（Ｓ４２０）、「１」でない（即ち、終話用キーの選択を続行しない）と判断した場合（Ｓ４２０：ＮＯ）には、Ｓ４３０に移行する。一方、押下されたキーが「１」であると判断した場合には（Ｓ４２０：ＹＥＳ）、Ｓ３７０に戻り、以上の処理（Ｓ３７０〜Ｓ４２０）を再び行う。
【００３８】
そして、Ｓ４３０では、表示部７に、「メモリダイヤル用キーを選択して下さい」と、キー入力を促す表示をさせ（Ｓ４３０）、使用者により何れかのキーが押下されるのを待つ（Ｓ４４０：ＮＯ）。次に、何れかのキーが押下されたと判断すると（Ｓ４４０：ＹＥＳ）、選択されたキーをメモリダイヤル用キーとして設定する旨のキー設定情報をバックアップＲＡＭ１５ｄに格納する（Ｓ４５０）。即ち、その選択されたキーには、番号検索動作が割当てられるのである。
【００３９】
Ｓ４５０の後、表示部７に「続行しますか？  １．ＹＥＳ／２．ＮＯ」を表示する（Ｓ４６０）。この表示後、使用者により、「１」又は「２」のキーの何れかが押下されるのを待つ（Ｓ４７０：ＮＯ）。そして、「１」又は「２」のキーの何れかが押下されたと判断すると（Ｓ４７０：ＹＥＳ）、その押下されたキーが「１」であるか否かを判断し（Ｓ４８０）、「１」でない（即ち、メモリダイヤル用キーの選択を続行しない）と判断した場合（Ｓ４８０：ＮＯ）には、Ｓ４９０に移行する。一方、押下されたキーが「１」であると判断した場合には（Ｓ４８０：ＹＥＳ）、Ｓ４３０に戻り、以上の処理（Ｓ４３０〜Ｓ４８０）を再び行う。
【００４０】
Ｓ４９０では、Ｓ３３０、Ｓ３９０及びＳ４５０にて、バックアップＲＡＭ１５ｄに格納されたキー設定情報が正しいか否かを判断する。キー設定情報が正しくない例としては、例えば、次の様な場合が考えられる。例えば、Ｓ３３０において、「１」の数字キーを発信用キーとして設定する旨のキー設定情報が格納されたにもかかわらず、Ｓ３９０においても、「１」の数字キーを終話用キーとして設定する旨のキー設定情報が格納された場合の様に、同一のキーに異なる動作が重複して設定された場合である。この場合には、複数の動作が重複して設定されたキー（即ち、上の例では「１」のキー）を押しても、実行すべき動作処理を確定できないという不都合が起こり得る。こうした誤った（或いは不完全な）キー設定情報が、バックアップＲＡＭ１５ｄに格納されている場合には、設定が正しくないと判断し（Ｓ４９０：ＮＯ）、Ｓ３１０に戻る。そして、設定が正しいと判断した場合には（Ｓ４９０：ＹＥＳ）、当該ユーザ設定処理を終了する。
【００４１】
なお、第４キーエリア３ｄに属するキーについては、「ユーザ設定モード」を解除する動作が設定されるため、Ｓ３２０、Ｓ３８０、Ｓ４４０に於いて、そのキーが押下されても、「何れかのキーが押下された」とは判断しない。また、第４キーエリア３ｄ以外のキーについては、番号検索動作、発信動作、終話動作の何れかが、必ずしも設定されるものではないため、これらの動作の内の何れも指定されなかったキーは、本来有する動作が設定された状態のままである。
【００４２】
この様にして、ユーザ設定処理によってバックアップＲＡＭ１５ｄのキー設定情報が更新されると第４キーエリア３ｄの操作によりユーザ設定モードが解除されるまで、制御部１５は、そのキー設定情報を参照して実行すべき動作を特定する。
【００４３】
以上の様に、本実施例の携帯電話装置１によれば、簡単モードにおいて、次の様な効果が得られる。即ち、同一のキーエリアに属するキーには、同一の動作を割当てるようにしたので、キー操作部３の操作性が向上するという効果を奏する。例えば、手袋を装着したまま操作をしようとする場合や、手の不自由な人や指の太い人が操作しようとする場合であっても、簡単モードにおいては、同一のキーエリアを構成するキーであれば、何れを操作しても「同一の動作」を指示することができ、電話装置の操作が楽なものとなる。
【００４４】
また、第１〜第３キーエリア３ａ〜３ｃについては、使用者の所望する対応動作を設定できるよう構成したので、使用者に合った配置を実現でき、携帯電話装置１の操作性を自己の使い勝手の良いものとすることができる。
また、第１〜第３キーエリア３ａ〜３ｃに設定したい動作として、頻繁に使われる機能である番号検索動作、発信動作及び終話動作を指定できることから、キー操作部３の操作がより楽になる。
【００４５】
また、ユーザ設定モードにおいても、簡単設定モードと同様に、同一のキーエリア（即ち、第４キーエリア３ｄ）に属するキーには、同一の動作（即ちユーザ設定モードの解除動作）を割当てるようにしたので、キー操作部３の操作性が向上する。
【００４６】
また、第４キーエリア３ｄ以外のキーについては、使用者の操作により、キー毎に対応動作を設定できる様にしたので、使用者の好みを細かく反映した設定を実現することができ、更に使い勝手の良いものとすることができる。そして、個々のキーが小さく、指の太い人や、手の不自由な人、手袋を装着した人が操作し難いと感じた場合であっても、互いに隣接する複数のキーに対して同一の対応動作を指定することにより、キー操作部３の操作を楽なものとすることができる。
【００４７】
また、第４キーエリア３ｄ以外のキーに設定したい動作として、頻繁に使われる機能である番号検索動作、発信動作及び終話動作を指定できることから、キー操作部３の操作を楽なものとすることができる。尚、上記実施例と請求項との対応をまとめると、キー設定情報が対応動作情報に相当し、キー操作部３の各キーが動作指示部に相当する。また、ＲＯＭ１５ｂおよびバックアップＲＡＭ１５ｄが対応動作記憶手段に相当し、制御部１５が制御手段に相当し、第４キーエリア以外のキー及び表示部７並びにＳ３１０、Ｓ３７０及びＳ４３０の処理が請求項１及び請求項４の指定手段に相当し、Ｓ３３０、Ｓ３９０及びＳ４５０の処理が請求項１の更新手段に相当する。また、ＲＯＭ１５ｂが第１記憶手段に相当し、バックアップＲＡＭ１５ｄが第２記憶手段に相当し、第１〜第４キーエリアが操作領域に相当し、制御部１５が第１制御手段、第２制御手段に相当する。また通常モードが第１モードに相当し、簡単モード及びユーザ設定モードが第２モードに相当する。また、「通常モードにおけるＦ７７の入力」および「簡単モード及びユーザ設定モードにおける第４キーエリア３ｄの操作」が「モード切換指令の入力」に相当し、モード切替処理および第４キーエリア３ｄがモード切替手段に相当する。また、「１」〜「３」の数字キー及び表示部７並びにＳ１１０、Ｓ１４０及びＳ１８０の処理が請求項３及び４の指定手段に相当し、Ｓ１３０、Ｓ１６０及びＳ１９０の処理が請求項３の更新手段に相当する。また、バックアップＲＡＭ１５ｄが、電話番号記憶手段に相当する。
【００４８】
以上、本発明の一実施例について説明したが、本発明は上記実施例に限定される物ではなく、種々の態様を取ることができる。
例えば、上記実施例の携帯電話装置１においては、携帯電話装置１に呼出先の電話番号を入力したり、各種処理を実行させたりするため操作部として、キー操作部３を使用するものとして説明したが、これに限られるものではない。例えば、そうした操作部として、外部からの押圧力を検知するタッチパネルを採用したものについても、本発明を適用できる。即ち、タッチパネルが複数の領域に分割され、その各領域毎に異なる機能が設定されている場合に、複数の領域に同一の動作を設定できるように構成すれば、その動作を行わせる際に押圧する領域を広くして、操作部の操作性が向上させることができるのである。
【００４９】
また、上記実施例の携帯電話装置１においては、番号検索動作、発信動作、終話動作を指定するものとして説明したが、これに限られるものでなく、他の機能を果たすための動作を指定できるように構成しても良い。
【図面の簡単な説明】
【図１】  一実施例としての携帯電話装置の電気的構成を示すブロック図である。
【図２】  一実施例の携帯電話装置の外観を示す説明図である。
【図３】  携帯電話装置にて実行されるモード切替処理を示すフローチャートである。
【図４】  同じく簡単モード設定処理を示すフローチャートである。
【図５】  同じくユーザ設定処理を示すフローチャートである。
【符号の説明】
１…携帯電話装置、３…キー操作部、３ａ…第１キーエリア、３ｂ…第２キーエリア、３ｃ…第３キーエリア、３ｄ…第４キーエリア、７…表示部、１５…制御部、１５ｂ…ＲＯＭ、１５ｄ…バックアップＲＡＭ。
【図１】
0003945035.tif 000002
【図２】
0003945035.tif 000003
【図３】
0003945035.tif 000004
【図４】
0003945035.tif 000005
【図５】
0003945035.tif 000006